(57)【要約】      （修正有）【課題】パック電池を収納した携帯電話機に振動が加わったり、強い衝撃が加わった場合においても常に電気的結合が維持できるパック電池を提供する。【解決手段】電池本体１の端面に露出した電極を有する結合部を設け、この結合部の端面と隣り合う結合部の面に、携帯電話機等の本体のコネクタの当接片が前記電極に当接状態にあるとき、携帯電話機等の本体のコネクタに設けた突片又は凹部に結合する凹部１１又は突片を設けたパック電池。【選択図】図４
2007311232.tif 000002
【特許請求の範囲】
【請求項１】
電池本体の端面に露出した電極を有する結合部を設け、この結合部の端面と隣り合う結合部の面に、携帯電話機等の本体のコネクタの当接片が前記電極に当接状態にあるとき、携帯電話機等の本体のコネクタに設けた突片又は凹部に結合する凹部又は突片を設けたことを特徴とする電池。
【請求項２】
前記電池本体の端面に平行して設けられた保護回路用配線基板
に前記電極を設け、少なくともこの電極を除いて、前記配線基板を樹脂モールドあるいはケースによって覆い前記結合部としたことを特徴とする請求項１記載の電池。
【請求項３】
電池本体の端面に露出した電極を有する結合部を設け、この結合部の端面と隣り合う結合部の面に、凹部又は突部を設け、携帯電話機等の本体には、前記電極に当接する当接片を有するコネクタを設けるとともに、前記当接片が前記電極に当接状態にあるとき、前記結合部に設けた凹部又は突片と結合する突片又は凹部を前記本体のコネクタに設けたことを特徴とする電池結合装置。
【請求項４】
電池本体の端面に、前端部が露出したコネクタを有する結合部を設け、前記コネクタは接触片を構成する対向する一対の腕を持ち、携帯電話機等の本体のコネクタの端子が前記電池側コネクタの一対の腕の間に挿入状態にあるとき、携帯電話機等の本体のコネクタに設けた突片又は凹溝に結合する凹溝又は突片を、前記結合部に結合部端面と直交する方向に設けたことを特徴とする電池。
【請求項５】
前記電池本体の端面に平行して設けられた保護回路用配線基板
に前記電池側コネクタを設け、少なくともこのコネクタの前端部を除いて、前記配線基板を樹脂モールドあるいはケースによって覆い前記結合部としたことを特徴とする請求項４記載の電池。
【請求項６】
電池本体の端面に、前端部が露出したコネクタを有する結合部を設け、前記コネクタは接触片を構成する対向する一対の腕を持ち、前記結合部に結合部端面と直交する方向に凹溝又は突片を設け、携帯電話機等の本体には、前記電池側コネクタに挿入される端子を有するコネクタを備えるとともに、前記端子が前記電池側コネクタの一対の腕の間に挿入状態にあるとき、前記凹溝又は突片と結合状態になる突片又は凹部を前記本体のコネクタに設けたことを特徴とする電池結合装置。
【発明の詳細な説明】
【技術分野】
【０００１】
本発明は、携帯電話機等に用いる電池及び電池を携帯電話機等の本体に収納して本体のコネクタと結合する結合装置に関するものである。
【背景技術】
【０００２】
携帯電話機等に使用するパック電池（第１のタイプ）は、例えば特開２００３−２２９１０５号公報（特許文献）に示されるように、電池本体に保護回路基板が取り付けられている。そして、この回路基板には複数の入出力端子である平板状電極が設けられるとともに、種々の保護回路素子が搭載されている。このように構成された電池パック中間完成品の保護回路基板部分を樹脂モールドあるいは樹脂製のケースで覆って完成品としている。
【０００３】
このようにして作られたパック電池を携帯電話機の本体に設けられた収納凹部に収納して、前記凹部の壁面から突出したコネクタのピンと前記電極とを当接させて電気的結合をとっている。
また、別のタイプ（第２のタイプ）の電池では、保護回路基板に複数のピン挿入用端子部を持つコネクタを取付け、このコネクタを保護回路基板とともに樹脂モールドしたり、樹脂ケースで覆って完成品としている。
【特許文献１】特開２００３−２２９１０５号公報
【発明の開示】
【発明が解決しようとする課題】
【０００４】
しかしながら、上記従来の第１のタイプのパック電池においては、平板状の電極に本体側のピンが当接して電気的に結合されているだけであるので、携帯電話機のようにしばしば振動が加えられたり、時として落下して強い衝撃が加えられると、前記平板状の電極からピンが浮いて電気的結合が取れなくなる場合がある。
また、第２のタイプのパック電池では、電池側に設けられているコネクタは両側から２本の腕で本体側のピンを挟持する構成となっている。２本の腕の真中に本体側のピンが入る場合は問題はないが、本体側のピンが偏って２本の腕の間に強制的に入った場合には、上記ピンは一方の腕のみに当接することがある。このような状態で携帯電話機等を振動させたり、落下させたりして強い衝撃を加えると、瞬間的であるがピンが２本の腕から離れてしまい電気的結合が取れない場合が生じる。
【０００５】
本発明は、上記の課題を解決し、電池を収納した携帯電話機等の本体に振動が加わったり、強い衝撃が加わった場合でも常に電気的結合がとれる電池及びその結合装置を提供することを目的とする。
【課題を解決するための手段】
【０００６】
上記課題を解決するために本発明の電池は、電池本体の端面に露出した電極を有する結合部を設け、この結合部の端面と隣り合う結合部の面に、携帯電話機等の本体のコネクタの当接片が前記電極に当接状態にあるとき、携帯電話機等の本体のコネクタに設けた突片又は凹部に結合する凹部又は突片を設けたことを特徴とする。
また、前記電池本体の端面に平行して設けられた保護回路用配線基板に前記電極を設け、少なくともこの電極を除いて、前記配線基板を樹脂モールドあるいはケースによって覆い前記結合部としたことを特徴とする。
【０００７】
また、本発明の電池結合装置は、電池本体の端面に露出した電極を有する結合部を設け、この結合部の端面と隣り合う結合部の面に、凹部又は突部を設け、携帯電話機等の本体には、前記電極に当接する当接片を有するコネクタを設けるとともに、前記当接片が前記電極に当接状態にあるとき、前記結合部に設けた凹部又は突片と結合する突片又は凹部を前記本体のコネクタに設けたことを特徴とする。
【０００８】
また、本発明の電池は、電池本体の端面に、前端部が露出したコネクタを有する結合部を設け、前記コネクタは接触片を構成する対向する一対の腕を持ち、携帯電話機等の本体のコネクタの端子が前記電池側コネクタの一対の腕の間に挿入状態にあるとき、携帯電話機等の本体のコネクタに設けた突片又は凹溝に結合する凹溝又は突片を、前記結合部に結合部端面と直交する方向に設けたことを特徴とする。
【０００９】
また、前記電池本体の端面に平行して設けられた保護回路用配線基板に前記電池側コネクタを設け、少なくともこのコネクタの前端部を除いて、前記配線基板を樹脂モールドあるいはケースによって覆い前記結合部としたことを特徴とする。
さらに、本発明の電池結合装置は、電池本体の端面に、前端部が露出したコネクタを有する結合部を設け、前記コネクタは接触片を構成する対向する一対の腕を持ち、前記結合部に結合部端面と直交する方向に凹溝又は突片を設け、携帯電話機等の本体には、前記電池側コネクタに挿入される端子を有するコネクタを備えるとともに、前記端子が前記電池側コネクタの一対の腕の間に挿入状態にあるとき、前記凹溝又は突片と結合状態になる突片又は凹部を前記本体のコネクタに設けたことを特徴とする。
【発明の効果】
【００１０】
本発明の電池及びその結合装置によれば、第１のタイプの電池（電池に平板状電極を有するもの）では、携帯電話機等の本体のコネクタに設けた突片が電池に設けた凹部に嵌入する（この逆も可能）ので、本体側コネクタの当接片が上記電極に確実に当接し、携帯電話機等の本体が振動したり、落下して強い衝撃を受けても、電気的結合が損なわれることはない。
【００１１】
また、第２のタイプの電池（電池に受部を持つコネクタを有するもの）においては、携帯電話機等の本体に設けたコネクタの突片が電池のガイド用凹溝に嵌入し（この逆も可能）、本体側コネクタと電池のコネクタが正しい位置で結合するので、携帯電話機等の本体が振動したり、落下して強い衝撃を受けても、電気的結合が損なわれることはない。
【発明を実施するための最良の形態】
【００１２】
以下、本発明の実施の形態を図面を参照して説明する。
図１は本発明の第１のタイプの電池の一実施の形態における中間完成品の斜視図である。図１に示すように、電池本体１の前端部に配線基板２が固定されている。この配線基板２には保護回路を構成する半導体などの複数の電子部品３が取り付けられている。そして、配線基板２の前面には電池本体１、前記保護回路と携帯電話機等の本体側の回路と電気的に接続をするための平板状電極４が３個並べて設けられている。このように構成されている電池の中間完成品を図２，３に示すように金型５，６に収納し、電池本体１の前端部より配線基板２側を配線基板２を覆うように樹脂モールドする。７は樹脂であり、この部分が結合部となる。
【００１３】
この樹脂モールドを行うに際し、金型５、６には配線基板２に設けられている電極４を覆う金型片８，９とモールド部分に凹部を形成するための金型片１０を設けておく。要するに少なくとも電極４が露出するように樹脂モールドすることが必要である。この凹部は図４に示す電池の完成品の底面側から内部に向かって設けられている。１１が凹部である。
【００１４】
図５に示すように、携帯電話等の本体基板１２にはコネクタ１３が取り付けられている。そして、本体隔壁１４によって電池収納部１５が形成されている。１６はこの電池収納部１５の蓋体である。
コネクタ１３は図７に示すように、電池の電極４に当接する３本の弾力性を有する当接片１７が設けられている。当接片１７は電池の電極４に当たる方向に弾力性を有している。また、コネクタ１３の台座１８に電池の凹部１１に嵌入する突片１９が設けられている。凹部１１と突片１９との嵌入状態は出し入れはできるががたつきの無い状態になるよう精度よく作成する。
【００１５】
図５に示すように、電池収納部１５に電池を収納すると、コネクタ１３に設けた突片１９が電池の凹部１１に嵌入し、同時に当接片１７が電池の電極４に当接する。図６の一部分の拡大図を見ると、この状態が良く理解できる。
このように構成することにより、電池が本体に確実に取り付くので、携帯電話等の本体が振動したり、落下して強い衝撃を受けても、電池の電極４と本体のコネクタ１３の当接片１７は当接状態を維持し、電気的結合が阻害されることはない。
【００１６】
図８に示すものは、図４のモールドタイプに替え予めケース２０を造り、これを電池本体１の配線基板２に被せて固定するものである。このケース２０の部分が図４のモールド樹脂７に相当し、結合部となる。この場合にも、ケース２０に図４の凹部１１に相当する凹部を構成するスリット２１を設けておく。２２は電極４が露出する窓である。携帯電話機等の本体のコネクタには図５、６，７に示すものと同じ突片１９を設け、この突片１９がスリット２１により構成された凹部に嵌入し、図５，６と同様、確実な結合が行われる。
【００１７】
上記２つの実施の形態においては、電池側に凹部１１、スリット２１を、本体のコネクタ１３側に突片１９を設けたが、電池側に突片１９を、コネクタ１３側に凹部１１を設けても同じ結果が得られる。しかしながら、電池から突片１９が突出しているのは商品価値からすると、電池に凹部１１を設けたものに比較すると劣る。
図９，１０，１１，１２，１３は第２のタイプの電池の実施の形態を示すものである。
【００１８】
図９に示すように、電池本体２４の前端部に配線基板２５が固定されている。この配線基板２５には保護回路を構成する半導体などの複数の電子部品２６が取り付けられている。そして、配線基板２５の前面には電池本体２４、前記保護回路と携帯電話機等の本体側の回路と電気的に接続をするためのコネクタ２７設けられている。そして、このコネクタ２７にはガイドとなる凹溝２８が形成されている。
【００１９】
コネクタ２７の内部には図１０に示すようにバネ性を有する金属板で構成された対向する腕を持つ受部（接触片）２９が３個設けられている。この受部２９は金属で一体成形されている。
このように構成されている電池の中間完成品を金型に収納し、電池本体２４の前端部より配線基板２５側を配線基板２５、コネクタ２７の側部などを覆うように樹脂モールドする。図１１はモールドされた電地と携帯電話機等の本体側のコネクタを示している。モールドに際してはコネクタ２７の前面部および上面部が露出するよう金型を設計する。３１がモールドされた樹脂であり、この部分が結合部となる。このように構成することにより、凹溝１８が露出状態となり、ここに本体側のコネクタ３２の突片３７が嵌り込む。
【００２０】
図１４に示すように、携帯電話機等の本体基板２３には本体側コネクタ３２が取り付けられている。そして、本体隔壁３３によって電池収納部３４が形成されている。３５はこの電池収納部３４の蓋体である。
本体側のコネクタ３２は図１３に示すように、電池のコネクタ２７に嵌り込む３本の平板状端子３６が突設されている。そして、上端に電池の凹溝２８に嵌り込む突片３７が設けられている。
【００２１】
図１２は電池のコネクタ２７と本体側コネクタ３２を結合した状態を示している。凹溝２８に突片３７が嵌り込むが、特に左右方向にがたつかないように精度良く造ることが大切である。
以上のように構成すると、突片３７が電池の凹溝２８に嵌入することにより、これがガイドとなって本体側コネクタ３２の端子３６が電池のコネクタ２７の受部２９の対向する一対の金属製の腕（接触片）の真ん中に正しく挿入される。
【００２２】
この結果、本体側コネクタ３２の端子３６が片寄って受部２９の対向する腕の間に挿入され、受部２９の一方の腕だけに接触した状態となることはなく、携帯電話機等の本体が振動したり、落下して強い衝撃を受けても、電気的結合が損なわれることはない。
図１５は図１１，１２の樹脂モールドタイプに替え、ケースを用いた実施の形態を示しており、ケースの部分が結合部となる。図１５はコネクタ２７に凹溝２８を設けたものである。配線基板２５、コネクタ２７をケース３８で覆うようにケース３８を電池本体２４に固定する。ケース３８には開口部３９が設けられていて突片３７がコネクタ27の凹溝２８に嵌り込むように構成されている。
【００２３】
図９，１１，１５に示すものは凹溝２８をコネクタ２７に設け、これに嵌り込む突片３７を本体側コネクタ３２に設けたが、逆に電池のコネクタ２７側に突片を、本体側コネクタ３２側に凹溝を設けるようにしても良い。しかしながら、電池側に突片を設けると、電池から突片が突出するので、商品価値としては電池側に凹溝を設けたものに比較して劣る。
【００２４】
図４の実施の形態では、電池の結合部（樹脂モールドした部分）の底面に凹部１１を設けたが、結合部の端面に隣り合う結合部の面であれば、側面、上面に凹部１１を設けてもよい。この場合、本体側コネクタ１３に設ける突片１９は上記結合部に設ける凹部１１の位置にあわせて設ける。凹部１１と突片１９とを逆にした場合にも適用できる。
同様に図８の場合、ケースが上記結合部となるが、この場合も上記と同様の構成をとることができる。
【００２５】
さらに、図１１、１２に示す場合、コネクタ２８の部分が結合部であるが、この結合部に設ける凹溝２８または突片は結合部の上面でなくてもよく、底面、側面でも良い。ただ、結合部の端面に直交する方向に設けることが必要である。結合部の端面に凹溝（凹部）、突片を設けても良い。もちろん、本体側コネクタにはこれらに対応して、突片、凹溝（凹部）を設ける必要がある。図１５の場合も同様に構成することができる。
【産業上の利用可能性】
【００２６】
本発明の電池及その結合装置は携帯電話機等に用いて有用である。
【図面の簡単な説明】
【００２７】
【図１】本発明の実施の形態における電池の要部の斜視図である。
【図２】同電池の製造状態を示す一部断側面図である。
【図３】同要部の拡大図である。
【図４】同電池の斜視図である。
【図５】同電池結合装置の断側面図である。
【図６】同要部の拡大図である。
【図７】同コネクタの斜視図である。
【図８】同他の実施の形態における電池の分解斜視図である。
【図９】同さらに他の実施の形態における電池の要部の斜視図である。
【図１０】同コネクタの正面図である。
【図１１】同電池結合装置の結合前の状態を示す斜視図である。
【図１２】同結合状態の斜視図である。
【図１３】同コネクタの斜視図である。
【図１４】同電池結合装置の断側面図である。
【図１５】同さらに他の実施の形態における電池結合装置の分解斜視図である。
【符号の説明】
【００２８】
１、２４：電池本体
２、２５：配線基板
３，２６：電子部品
４：平板状電極
５、６：金型
７、３１：樹脂
８，９，１０：金型片
１１：凹部
１２、２３：本体基板
１３，３２：コネクタ
１４，３３：本体隔壁
１５，３４：電池収納部
１６，３５：蓋体
１７：当接片
１８：台座
１９：突片
２０，３８：ケース
２１：スリット
２２：窓
２７：コネクタ
２８：凹溝
２９：受部
３６：端子
３７：突片
３９：開口部
【図１】
2007311232.tif 000003
【図２】
2007311232.tif 000004
【図３】
2007311232.tif 000005
【図４】
2007311232.tif 000006
【図５】
2007311232.tif 000007
【図６】
2007311232.tif 000008
【図７】
2007311232.tif 000009
【図８】
2007311232.tif 000010
【図９】
2007311232.tif 000011
【図１０】
2007311232.tif 000012
【図１１】
2007311232.tif 000013
【図１２】
2007311232.tif 000014
【図１３】
2007311232.tif 000015
【図１４】
2007311232.tif 000016
【図１５】
2007311232.tif 000017